(57)【特許請求の範囲】
【請求項１】
基地局からの受信レベルによってゲイン切替えを行える仕組みを持つローノイズアンプを含み、低速から高速までの通信レートに対応する携帯電話端末であって、
周波数設定時に実施する高速受信オートマティックゲイン制御完了時に、受信信号強度表示信号がローノイズアンプのハイゲインモード切り替えが発生する受信レベルより大きい場合にローノイズアンプのゲインを強制的にローゲインモードに切り替える手段を有することを特徴とする携帯電話端末。
【請求項２】
特定部分の伝送レートを高くすることで、データ伝送を行わない区間を設け、その区間で受信周波数を切り替えて前記受信信号強度表示信号の測定を少なくとも行うコンプレスモード時において、前記高速受信オートマティックゲイン制御完了時に、前記受信信号強度表示信号がローノイズアンプのハイゲインモード切り替えが発生する受信レベルより大きい場合の前記ローノイズアンプのゲインの強制的なローゲインモードへの切り替えを抑止することを特徴とする請求項１記載の携帯電話端末。
【請求項３】
通信状態でも低レートである場合に、前記受信信号強度表示信号がローノイズアンプのハイゲインモード切り替えが発生する受信レベルより大きければ前記ローノイズアンプのゲインを強制的にローゲインモードに切り替えることを特徴とする請求項１または請求項２記載の携帯電話端末。
【請求項４】
通信状態でもＳＩＲ（Ｓｉｇｎａｌ  ｔｏ  Ｉｎｔｅｒｆｅｒｅｎｃｅ  ｐｏｗｅｒ  Ｒａｔｉｏ）が良好である場合に、前記受信信号強度表示信号がローノイズアンプのハイゲインモード切り替えが発生する受信レベルより大きければ前記ローノイズアンプのゲインを強制的にローゲインモードに切り替えることを特徴とする請求項１から請求項３のいずれか記載の携帯電話端末。
【請求項５】
上記の請求項１から請求項４のいずれかに記載の携帯電話端末を含むことを特徴とする移動通信システム。
【請求項６】
基地局と、前記基地局からの受信レベルによってゲイン切替えを行える仕組みを持つローノイズアンプを含み、低速から高速までの通信レートに対応する携帯電話端末に用いるＬＮＡローゲインモード切り替え制御方法であって、
前記携帯電話端末が、周波数設定時に実施する高速受信オートマティックゲイン制御完了時に、受信信号強度表示信号がローノイズアンプのハイゲインモード切り替えが発生する受信レベルより大きい場合にローノイズアンプのゲインを強制的にローゲインモードに切り替える処理を実行することを特徴とするＬＮＡローゲインモード切り替え制御方法。
【請求項７】
前記携帯電話端末が、特定部分の伝送レートを高くすることで、データ伝送を行わない区間を設け、その区間で受信周波数を切り替えて前記受信信号強度表示信号の測定を少なくとも行うコンプレスモード時において、前記高速受信オートマティックゲイン制御完了時に、前記受信信号強度表示信号がローノイズアンプのハイゲインモード切り替えが発生する受信レベルより大きい場合の前記ローノイズアンプのゲインの強制的なローゲインモードへの切り替えを抑止することを特徴とする請求項６記載のＬＮＡローゲインモード切り替え制御方法。
【請求項８】
前記携帯電話端末が、通信状態でも低レートである場合に、前記受信信号強度表示信号がローノイズアンプのハイゲインモード切り替えが発生する受信レベルより大きければ前記ローノイズアンプのゲインを強制的にローゲインモードに切り替えることを特徴とする請求項６または請求項７記載のＬＮＡローゲインモード切り替え制御方法。
【請求項９】
前記携帯電話端末が、通信状態でもＳＩＲ（Ｓｉｇｎａｌ  ｔｏ  Ｉｎｔｅｒｆｅｒｅｎｃｅ  ｐｏｗｅｒ  Ｒａｔｉｏ）が良好である場合に、前記受信信号強度表示信号がローノイズアンプのハイゲインモード切り替えが発生する受信レベルより大きければ前記ローノイズアンプのゲインを強制的にローゲインモードに切り替えることを特徴とする請求項６から請求項８のいずれか記載のＬＮＡローゲインモード切り替え制御方法。
【請求項１０】
基地局と、前記基地局からの受信レベルによってゲイン切替えを行える仕組みを持つローノイズアンプを含み、低速から高速までの通信レートに対応する携帯電話端末内の中央処理装置が実行するプログラムであって、
周波数設定時に実施する高速受信オートマティックゲイン制御完了時に、受信信号強度表示信号がローノイズアンプのハイゲインモード切り替えが発生する受信レベルより大きい場合にローノイズアンプのゲインを強制的にローゲインモードに切り替える処理を含むことを特徴とするプログラム。
【発明の詳細な説明】
【技術分野】
【０００１】
本発明は携帯電話端末、移動通信システム及びそれらに用いるＬＮＡローゲインモード切り替え制御方法並びにそのプログラムに関し、特に携帯電話端末において受信レベルによってゲイン切替えを行える仕組みを持つＬＮＡ（Ｌｏｗ  Ｎｏｉｓｅ  Ａｍｐｌｉｆｉｅｒ：ローノイズアンプ）に関する。
【背景技術】
【０００２】
上記のＬＮＡのゲインモード切替えの閾値としては、通信レートによらず一定であるため、通信レートが高い場合でも受信感度劣化が発生しない受信レベルが設定されている（例えば、特許文献１参照）。
【０００３】
このＬＮＡの一般的な構成を図１２に示す。図１２において、ＬＮＡ回路３０は、ＬＮＡ３１と、バイアス（Ｂｉａｓ）回路３２と、スイッチ３３と、ロジック（Ｌｏｇｉｃ）回路３４とから構成されている。
【０００４】
ＬＮＡ回路３０においては、ハイゲインモードとローゲインモードとがあり、ハイゲインモード時にＬＮＡ３１をオンにして信号を増幅させ、Ｓ／Ｎ（Ｓｉｇｎａｌ／Ｎｏｉｓｅ）比（信号とノイズとの比）を大きくしている。逆に、ローゲインモード時にはＬＮＡ３１をオフにし、かつＬＮＡ３１をバイパスする経路（スイッチ３３を経由する経路）を持たせ、信号を増幅させずに出力している。
【０００５】
図１２に示す一般的なＬＮＡは、上記のように、ハイゲインモードとローゲインモードとがあり、ハイゲインモード時にはローノイズアンプをオンにして、信号を増幅させ、ＳＮ比を大きくする。逆に、ローゲインモード時には、ローノイズアンプをオフにして、かつローノイズアンプをバイパスする経路をもたせ、信号を増幅させずに出力する。
【０００６】
よって、受信レベルが十分大きい場合、ローゲインモードにして、ローノイズアンプをオフにしている分だけの消費電流を削減できるメリットがある。そのため、通常、携帯電話端末では、受信レベルが大きい場合、ＬＮＡを極力ローゲインモードとし消費電流を下げ、受信レベルが受信感度レベル付近になると、ハイゲインモードに切り替え、ＳＮ比を改善させ、受信感度を向上させている。
【０００７】
しかしながら、上記のＬＮＡでは、図１３に示すように、ローゲインモードからハイゲインモード切り替えを行う切り替え閾値と、ハイゲインモードからローゲインモード切り替えを行う切り替え閾値とを設け、更に頻繁にＬＮＡ切り替えが発生しないように通常スレッショルドを設けてある。
【０００８】
例えば、ローゲインモードからハイゲインモード切り替えを行う切り替え閾値での受信レベルが−７０ｄＢｍで、ハイゲインモードからローゲインモード切り替えを行う切り替え閾値の間にある受信レベルが−５０ｄＢｍである場合、受信レベルが−６０ｄＢｍであれば、ローゲインモードとハイゲインモードとのどちらのモードのケースの場合も有り、ＬＮＡ切り替えが発生する受信レベルの間（−５０ｄＢｍ〜−７０ｄＢｍ）で同様の状況となる。
【０００９】
つまり、同じ受信レベルでありながら、ＬＮＡのモードによって、消費電流が異なる状況がある。ここで、ＲＸＡＧＣゲイン（受信オートマティックゲイン制御ゲイン）とは、ＲＦＩＣ（Ｒａｄｉｏ  Ｆｒｅｑｕｅｎｃｙ  Ｉｎｔｅｇｒａｔｅｄ  Ｃｉｒｃｕｉｔ）の受信可変アンプのゲインを指し、受信のトータルゲインとしては、ＬＮＡのゲインとＲＸＡＧＣのゲインとの合算となる。
【００１０】
例えば、受信レベル−６５ｄＢｍの場合、ＬＮＡのハイゲインモード時のＬＮＡゲインが１５ｄＢで、その時のＲＸＡＧＣゲインが３５ｄＢであるとする。ＬＮＡのローゲインが０ｄＢの場合、受信のトータルゲインは、ＬＮＡのハイゲインモード時と同じになるので、その時のＲＸＡＧＣゲインが５０ｄＢとなる。
【先行技術文献】
【特許文献】
【００１１】
【特許文献１】特開２００５−２２３５８３号公報
【発明の概要】
【発明が解決しようとする課題】
【００１２】
上述したＬＮＡでは、図３及び図４に示すように、同じ受信環境であるにも関わらず、高速ＲＸＡＧＣの収束結果が異なることで、同じＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度表示信号）値ではあるが、ＬＮＡのゲインモードが異なる場合がある。
【００１３】
これにより、同じＲＳＳＩ値でも、ＬＮＡがローゲインモードとハイゲインモードとで、消費電流が異なるため、結果として特に待ち受け時間が大きく変わることがある。最近は、ＬＮＡがＲＦＩＣに内蔵される傾向になり、その際、入出力が差動化することが一般的であり、入出力が一つしかないＬＮＡと比べ、消費電流が単純に２倍になっている。よって、ＬＮＡがローゲインモードであるか、ハイゲインモードであるかで消費電流差が大きくなり、この状況改善が要求されている。
【００１４】
そこで、本発明の目的は上記の問題点を解消し、周波数設定時に実施する高速ＲＸＡＧＣ完了時にＲＳＳＩがＬＮＡのハイゲインモード切り替えが発生する受信レベルより大きい場合でも、受信特性を維持しつつ、消費電力を低減することができる携帯電話端末、移動通信システム及びそれらに用いるＬＮＡローゲインモード切り替え制御方法並びにそのプログラムを提供することにある。
【課題を解決するための手段】
【００１５】
本発明による携帯電話端末は、基地局からの受信レベルによってゲイン切替えを行える仕組みを持つローノイズアンプを含み、低速から高速までの通信レートに対応する携帯電話端末であって、
周波数設定時に実施する高速受信オートマティックゲイン制御完了時に、受信信号強度表示信号がローノイズアンプのハイゲインモード切り替えが発生する受信レベルより大きい場合にローノイズアンプのゲインを強制的にローゲインモードに切り替える手段を備えている。
【００１６】
本発明による移動通信システムは、上記の携帯電話端末を含むことを特徴とする。
【００１７】
本発明によるＬＮＡローゲインモード切り替え制御方法は、基地局と、前記基地局からの受信レベルによってゲイン切替えを行える仕組みを持つローノイズアンプを含み、低速から高速までの通信レートに対応する携帯電話端末に用いるＬＮＡローゲインモード切り替え制御方法であって、
前記携帯電話端末が、周波数設定時に実施する高速受信オートマティックゲイン制御完了時に、受信信号強度表示信号がローノイズアンプのハイゲインモード切り替えが発生する受信レベルより大きい場合にローノイズアンプのゲインを強制的にローゲインモードに切り替える処理を実行している。
【００１８】
本発明によるプログラムは、基地局と、前記基地局からの受信レベルによってゲイン切替えを行える仕組みを持つローノイズアンプを含み、低速から高速までの通信レートに対応する携帯電話端末内の中央処理装置が実行するプログラムであって、
周波数設定時に実施する高速受信オートマティックゲイン制御完了時に、受信信号強度表示信号がローノイズアンプのハイゲインモード切り替えが発生する受信レベルより大きい場合にローノイズアンプのゲインを強制的にローゲインモードに切り替える処理を含むことを特徴とする。
【発明の効果】
【００１９】
本発明は、上記のような構成及び動作とすることで、周波数設定時に実施する高速ＲＸＡＧＣ完了時にＲＳＳＩがＬＮＡのハイゲインモード切り替えが発生する受信レベルより大きい場合でも、受信特性を維持しつつ、消費電力を低減することができるという効果が得られる。
【図面の簡単な説明】
【００２０】
【図１】本発明の第１の実施の形態による携帯電話端末の構成例を示すブロック図である。
【図２】図１のＲＦ装置の構成を示すブロック図である。
【図３】本発明の第１の実施の形態において周波数切り替え時に実施した一般的な高速ＲＸＡＧＣで、最終的にＬＮＡローゲインモードに収束した例を示す図である。
【図４】本発明の第１の実施の形態において周波数切り替え時に実施した一般的な高速ＲＸＡＧＣで、最終的にＬＮＡハイゲインモードに収束した例を示す図である。
【図５】本発明の第１の実施の形態において高速ＲＸＡＧＣ完了時のＲＳＳＩ測定結果が、ＬＮＡハイゲインモード切り替えが発生するＲＳＳＩより大きい場合に、ＬＮＡのゲインモードを強制的にローゲインモードに切り替える例を示す図である。
【図６】本発明の第１の実施の形態による制御手順を示すフローチャートである。
【図７】本発明の第２の実施の形態による制御手順を示すフローチャートである。
【図８】本発明の第３の実施の形態による制御手順を示すフローチャートである。
【図９】本発明の第３の実施の形態におけるＬＮＡの切り替え例を示す図である。
【図１０】本発明の第４の実施の形態による制御手順を示すフローチャートである。
【図１１】本発明の第４の実施例におけるＳＩＲの求め方を示す図である。
【図１２】本発明に関連するＬＮＡの一般的な構成を示すブロック図である。
【図１３】本発明に関連するＬＮＡの切り替え例を示す図である。
【発明を実施するための形態】
【００２１】
次に、本発明の実施の形態について図面を参照して説明する。まず、本発明によるＬＮＡ（Ｌｏｗ  Ｎｏｉｓｅ  Ａｍｐｌｉｆｉｅｒ：ローノイズアンプ）ローゲインモード切り替え制御方法の概要について説明する。
【００２２】
本発明によるＬＮＡローゲインモード切り替え制御方法は、携帯電話端末が、受信レベルによってゲイン切り替えを行える仕組みを持つＬＮＡを有し、受信レベルがＬＮＡのハイゲインモード切り替えが発生する受信レベルより大きい時に、強制的にそのＬＮＡをローゲインに切り替える制御を行うことを特徴とする。
【００２３】
つまり、本発明は、上述した問題を解決するために、周波数設定時に実施する高速ＲＸＡＧＣ（受信オートマティックゲイン制御）完了時に、ＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度表示信号）がＬＮＡのハイゲインモード切り替えが発生する受信レベルより大きい場合、ＬＮＡゲインを強制的にローゲインモードに切り替えることで、消費電力をより低減することができる方法を提供するものである。
【００２４】
図１２に示す一般的なＬＮＡは、上記のように、ハイゲインモードとローゲインモードとがあり、ハイゲインモード時にはローノイズアンプをオンにして、信号を増幅させ、ＳＮ（Ｓｉｇｎａｌ／Ｎｏｉｓｅ）比（信号とノイズとの比）を大きくする。逆に、ローゲインモード時には、ローノイズアンプをオフにして、かつローノイズアンプをバイパスする経路をもたせ、信号を増幅させずに出力する。
【００２５】
よって、受信レベルが十分大きい場合、ローゲインモードにして、ローノイズアンプをオフにしている分だけの消費電流を削減できるメリットがある。そのため、通常、携帯電話端末では、受信レベルが大きい場合、ＬＮＡを極力ローゲインモードとし消費電流を下げ、受信レベルが受信感度レベル付近になると、ハイゲインモードに切り替え、ＳＮ比を改善させ、受信感度を向上させている。
【００２６】
しかしながら、このＬＮＡでは、図１３に示すように、ローゲインモードからハイゲインモード切り替えを行う切り替え閾値と、ハイゲインモードからローゲインモード切り替えを行う切り替え閾値とを設け、更に頻繁にＬＮＡ切り替えが発生しないように通常スレッショルドを設けてある。
【００２７】
例えば、ローゲインモードからハイゲインモード切り替えを行う切り替え閾値での受信レベルが−７０ｄＢｍで、ハイゲインモードからローゲインモード切り替えを行う切り替え閾値の間にある受信レベルが−５０ｄＢｍである場合、受信レベルが−６０ｄＢｍであれば、ローゲインモードとハイゲインモードとのどちらのモードのケースの場合も有り、ＬＮＡ切り替えが発生する受信レベルの間（−５０ｄＢｍ〜−７０ｄＢｍ）で同様の状況となる。
【００２８】
つまり、同じ受信レベルでありながら、ＬＮＡのモードによって、消費電流が異なる状況がある。ここで、ＲＸＡＧＣゲイン（受信オートマティックゲイン制御ゲイン）とは、ＲＦＩＣ（Ｒａｄｉｏ  Ｆｒｅｑｕｅｎｃｙ  Ｉｎｔｅｇｒａｔｅｄ  Ｃｉｒｃｕｉｔ）の受信可変アンプのゲインを指し、受信のトータルゲインとしては、ＬＮＡのゲインとＲＸＡＧＣのゲインとの合算となる。
【００２９】
例えば、受信レベル−６５ｄＢｍの場合、ＬＮＡのハイゲインモード時のＬＮＡゲインが１５ｄＢで、その時のＲＸＡＧＣゲインが３５ｄＢであるとする。ＬＮＡのローゲインが０ｄＢの場合、受信のトータルゲインは、ＬＮＡのハイゲインモード時と同じになるので、その時のＲＸＡＧＣゲインが５０ｄＢとなる。
【００３０】
上記の問題を解決するために、本発明では、周波数設定時に実施する高速ＲＸＡＧＣ完了時に、受信レベルがＬＮＡのハイゲインモード切り替えが発生する受信レベルより大きい（＝ＲＸＡＧＣゲインがＬＮＡハイゲインモード切り替えが発生するＲＸＡＧＣゲインより小さい）場合、ＬＮＡゲインを強制的にローゲインモード切り替えるしくみを持たせることで、中間電位レベルでの受信特性を維持しつつ、消費電力を低減することができる。
【００３１】
図１は本発明の第１の実施の形態による携帯電話端末の構成例を示すブロック図である。図１において、本発明の第１の実施の形態による携帯電話端末は、ＣＰＵ（中央処理装置）装置１１と、その基本的制御下にあるディジタル信号処理装置１２と、アナログ信号処理装置１３と、ＲＦ（Ｒａｄｉｏ  Ｆｒｅｑｕｅｎｃｙ）装置１４と、メモリ装置１５と、電源装置１６と、バッテリ１７と、アンテナ１８とから構成されている。
【００３２】
ＣＰＵ装置１１は、ディジタル信号処理装置１２、アナログ信号処理装置１３、ＲＦ装置１４、メモリ装置１５、電源装置１６の制御、及びディジタル信号処理装置１２とのデータのやり取りを行う。
【００３３】
ＲＦ装置１４は、無線信号の変復調を行い、アナログ信号処理装置１３は、ＲＦ装置１４からの信号をＡＤ（アナログ／ディジタル）変換し、ＡＤ変換した信号をディジタル信号処理装置１２に送り、またディジタル信号処理装置１２からの信号をＤＡ（ディジタル／アナログ）変換し、ＤＡ変換した信号をＲＦ装置１４に送る。
【００３４】
ディジタル信号処理装置１２は、アナログ信号処理装置１３からの信号に対してディジタル信号処理を行ってその信号を復号し、復号した信号をＣＰＵ装置１１へ送る。
【００３５】
また、ディジタル信号処理装置１２は、ＲＳＳＩレベルを測定し、その測定値に応じてＲＦ装置１４にＲＸＡＧＣゲイン制御信号やＬＮＡのモード切替え信号を送る。
【００３６】
さらに、ディジタル信号処理装置１２は送信信号のパワー制御を行うとともに、ＳＩＲ（Ｓｉｇｎａｌ  ｔｏ  Ｉｎｔｅｒｆｅｒｅｎｃｅ  ｐｏｗｅｒ  Ｒａｔｉｏ）測定を行い、周波数設定制御を行う。
【００３７】
メモリ装置１５には、制御情報等が書き込まれており、ＣＰＵ装置１１がその制御情報に応じ読み書きを行う。また、メモリ装置１５には、ＬＮＡのモード切り替え用閾値データが格納されている。さらに、メモリ装置１５には、ＣＰＵ装置１１が制御を行うためのプログラムやディジタル信号処理装置１２が実行するプログラムも格納されている。
【００３８】
電源装置１６は、ＣＰＵ装置１１からの制御にしたがって、ＣＰＵ装置１１、ディジタル信号処理装置１２、アナログ信号処理装置１３、ＲＦ装置１４、メモリ装置１５への電源供給を行う。バッテリ１７は、電源装置１６経由で装置全体に電圧を供給する。アンテナ１８は、図示せぬ基地局からの信号を受信するとともに、携帯電話端末から基地局に信号を送信する。
【００３９】
図２は図１のＲＦ装置１４の構成を示すブロック図である。図２において、ＲＦ装置１４は、アンテナスイッチ（ＡＮＴＳＷ）１４１と、デュプレクサ１４２と、ＬＮＡ１４３と、ＢＰＦ（Ｂａｎｄ  Ｐａｔｈ  Ｆｉｌｔｅｒ）１４４と、ＲＦＩＣ１４５と、ＢＰＦ１４６と、ＰＡ１４７と、アイソレータ１４８とから構成されている。
【００４０】
アンテナスイッチ（ＡＮＴＳＷ）１４１は、通常、使用するアンテナ１８を切替える。デュプレクサ１４２は、送信信号と受信信号とを分離するフィルタである。ＬＮＡ１４３は、ノイズを極力抑えて信号増幅可能で、かつハイゲインモードとローゲインモードとに切替え可能である。
【００４１】
ＢＰＦ１４４は、受信信号以外の信号を減衰させる。ＲＦＩＣ１４５は、信号の変復調回路、送信、受信用ゲイン可変アンプ、ベースバンドフィルタ、アンプ、ＰＬＬ（Ｐｈａｓｅ  Ｌｏｃｋｅｄ  Ｌｏｏｐ）シンセサイザからなる。ＢＰＦ１４６は、送信信号以外の信号を減衰させる。ＰＡ１４７は、高いパワーに増幅可能なアンプである。アイソレータ１４８は、高いパワーの信号を逆流させない。
【００４２】
これら図１及び図２を参照して本発明の第１の実施の形態によるＬＮＡローゲインモード切り替え制御方法について説明する。以下、ＲＳＳＩ及びＬＮＡゲインの求め方を一例として示す。この例では、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）の場合について述べる。
【００４３】
ＷＣＤＭＡの場合、受信信号は復調後、Ｉ信号とＱ信号とに分かれており、最初に、瞬時電力が求められる（ＲＳＳＩ計算＃１）。この瞬時電力は、
ＲＸ＿Ｌｅｖｅｌ（ｎ）＝Ｉ（ｎ）2 ＋Ｑ（ｎ）2
（ｎ＝０〜Ｎ）
という式で求められる。尚、Ｎは任意のサンプル数である。
【００４４】
次に、平均瞬時電力が求められる（ＲＳＳＩ計算＃２）。この平均瞬時電力は、
ＲＸ＿Ｌｅｖｅｌ２＝１／Ｎ・ΣＲＸ＿Ｌｅｖｅｌ（ｎ）
という式で求められる。尚、Σはｎ＝０〜Ｎの総和である。
【００４５】
続いて、平均瞬時電力の値がｄＢ変換される（ＲＳＳＩ計算＃３）。ｄＢ変換は、
ＲＸ＿Ｌｅｖｅｌ＿ｄＢ＝１０Ｌｏｇ（ＲＸ＿Ｌｅｖｅｌ２）
という式で行われる。
【００４６】
さらに、アンテナ１８から既知レベル（例えば、−６０ｄＢｍの信号）を入力し、ディジタル信号処理装置１２にてＲＳＳＩ計算＃１からＲＳＳＩ計算＃３の計算を行う（ＲＳＳＩ計算＃４）。
【００４７】
ディジタル信号処理装置１２では、ＬＮＡ１４３がハイゲインモード時に、
ＲＸ＿Ｌｅｖｅｌ補正値
＝−６０ｄＢｍ−ＲＸ＿Ｌｅｖｅｌ＿ｄＢ
＋ＬＮＡ＿ＧＡＩＮ＋ＲＦＩＣ＿ＧＡＩＮ
を求め、ＬＮＡ１４３がローゲインモード時に、
ＲＸ＿Ｌｅｖｅｌ補正値
＝−６０ｄＢｍ−ＲＸ＿Ｌｅｖｅｌ＿ｄＢ＋ＲＦＩＣ＿ＧＡＩＮ
を求める（ＲＳＳＩ計算＃５）。
【００４８】
ＬＮＡ１４３のゲインであるＬＮＡ＿ＧＡＩＮは、ＲＳＳＩ計算＃５でのローゲインモード時のＲＳＳＩとハイゲインモード時のＲＳＳＩとの差であり、ＲＦＩＣ＿ＧＡＩＮはＲＦＩＣ１４５の受信可変アンプのゲインであり、ディジタル信号処理装置１２が設定するので、既知の値である。
【００４９】
例えば、ＬＮＡ１４３がハイゲインモード時のＲＸ＿Ｌｅｖｅｌ＿ｄＢの値が１０ｄＢｍ、ＬＮＡ＿ＧＡＩＮ＝１５ｄＢ、ＲＦＩＣ＿ＧＡＩＮ＝３０ｄＢとなるならば、ＲＸ＿Ｌｅｖｅｌ補正値は−２５ｄＢとなる。以上によって、
ＲＳＳＩ＝ＲＸ＿Ｌｅｖｅｌ＿ｄＢ−ＬＮＡ＿ＧＡＩＮ
−ＲＦＩＣ＿ＧＡＩＮ−ＲＸ＿Ｌｅｖｅｌ補正値
となる（ＲＳＳＩ計算＃６）。
【００５０】
また、ＬＮＡがローゲインモード時のＲＸ＿Ｌｅｖｅｌ＿ｄＢの値が１０ｄＢｍ、ＲＦＩＣ＿ＧＡＩＮ＝４５ｄＢとなるならば、ＲＸ＿Ｌｅｖｅｌ補正値は−２５ｄＢとなる。以上によって、
ＲＳＳＩ＝ＲＸ＿Ｌｅｖｅｌ＿ｄＢ−ＲＦＩＣ＿ＧＡＩＮ
−ＲＸ＿Ｌｅｖｅｌ補正値
となる（ＲＳＳＩ計算＃７）。
【００５１】
次に、ＬＮＡ１４３のローゲインモードからハイゲインモードへの切り替え方法を示す。当初、ＬＮＡ１４３がローゲインモード時でＲＳＳＩ測定（ＲＳＳＩ計算＃８）を行う。
【００５２】
その際、例えば、ハイゲインモード切り替え閾値（ＨＩＧＨＧＡＩＮ＿ＴＨ）＝−７０ｄＢｍに設定した状態で、ＲＳＳＩ＝−７０ｄＢｍだった場合、ディジタル信号処理装置１２は、ハイゲインモード切り替え閾値≧ＲＳＳＩであることを検出した後、ＬＮＡ１４３をローゲインからハイゲインモードに切り替える信号を送る。ＬＮＡ１４３は、この信号によりローゲインからハイゲインモードに切り替わる。その後のＲＳＳＩ測定方法は、ＲＳＳＩ計算＃６で行う。
【００５３】
同様に、ＬＮＡ１４３のハイゲインモードからローゲインモードへの切り替え方法は、例えば、ローゲインモード切り替え閾値（ＬＯＷＧＡＩＮ＿ＴＨ）＝−５０ｄＢｍに設定した場合で、ＲＳＳＩ＝−５０ｄＢｍだった場合、ディジタル信号処理装置１２は、ローゲインモード切り替え閾値≦ＲＳＳＩであることを検出した後、ＬＮＡ１４３をハイゲインからローゲインモードに切り替える信号を送る。ＬＮＡ１４３は、この信号によりハイゲインからローゲインモードに切り替わる。その後のＲＳＳＩ測定方法は、ＲＳＳＩ計算＃７で行う。
【００５４】
次に、周波数設定時に実施する高速ＲＸＡＧＣを一例として示す。今回は、例としてＷＣＤＭＡの場合で示す。ＷＣＤＭＡの場合、通常、ＲＳＳＩ測定やＲＸＡＧＣを１スロット（約６６７μｓ）単位で実施している。
【００５５】
しかしながら、周波数切り替え時には、切り替え先の周波数のＲＳＳＩが未知な上、正常な受信動作を開始するために高速にディジタル信号処理装置１２にて所望のレベルになる必要がある。
【００５６】
そのためには、高速にＲＸＡＧＣを実施する必要があり、ＲＳＳＩ測定やＲＸＡＧＣの単位を、例えば、３０μｓと短くし、それを１０回程度実施、その後、従来の１スロット単位でのＲＳＳＩ測定やＲＸＡＧＣに切り替える方法を一般的に取り、同時に正常な受信動作、正常な通信を実施する。つまり、高速ＲＸＡＧＣとは、高速にＲＸＡＧＣを安定化させるためのものであり、正常な通信は実施しない。
【００５７】
図３に周波数切り替え時に実施した一般的な高速ＲＸＡＧＣで、最終的にＬＮＡローゲインモードに収束した例を示す。同様に、図４に周波数切り替え時に実施した一般的な高速ＲＸＡＧＣで、最終的にＬＮＡハイゲインモードに収束した例を示す。
【００５８】
同じＲＳＳＩでも、図３及び図４で収束するＬＮＡゲインモードが異なるのは、ＲＳＳＩ測定時間が短いためで、ＲＳＳＩ測定やそれに基づいて決定されたＲＸＡＧＣに誤差が発生するためである。また、時間単位で、ＲＳＳＩ変動が大きいと、上記と同様な結果となる。
【００５９】
図５は高速ＲＸＡＧＣ完了時のＲＳＳＩ測定結果が、ＬＮＡハイゲインモード切り替えが発生するＲＳＳＩより大きい場合に、ＬＮＡのゲインモードを強制的にローゲインモードに切り替える例を示す図である。これは、本発明にて適用される高速ＲＸＡＧＣを示している。
【００６０】
図６は本発明の第１の実施の形態による制御手順を示すフローチャートである。これら図１と図２と図６とを参照して、上記のＲＳＳＩの求め方とＬＮＡのローゲインモードからハイゲインモードへの切り替わりの関係とに基づき、本発明に関するところのみの手順について説明する。本例では、３ＧＰＰ（３ｒｄ  Ｇｅｎｅｒａｔｉｏｎ  Ｐａｒｔｎｅｒｓｈｉｐ  Ｐｒｏｊｅｃｔ）で承認された通信方式であるＷＣＤＭＡで行う。尚、図６に示す制御手順は、ＣＰＵ装置１１がメモリ装置１５のプログラムを実行することでも実現可能である。
【００６１】
まず、ＣＰＵ装置１１は、周波数設定をディジタル信号処理装置１２に命令する。ディジタル信号処理装置１２は、この命令によってＲＦ装置１４のＲＦＩＣ１４５に周波数設定する（図６ステップＳ１）。
【００６２】
次に、ＣＰＵ装置１１は、メモリ装置１５から読み出したＬＮＡハイゲインモード切り替え閾値（ＨＩＧＨＧＡＩＮ＿ＴＨ）とＬＮＡローゲインモード切り替え閾値（ＬＯＷＧＡＩＮ＿ＴＨ）とをディジタル信号処理装置１２に設定する。ディジタル信号処理装置１２は、初期設定としてＲＦ装置１４のＬＮＡ１４３にローゲインモードを設定する（図６ステップＳ２）。例えば、ＬＮＡハイゲインモード切り替え閾値（ＨＩＧＨＧＡＩＮ＿ＴＨ）＝−７０ｄＢｍ、ＬＮＡローゲインモード切り替え閾値（ＬＯＷＧＡＩＮ＿ＴＨ）＝−５０ｄＢｍとする。
【００６３】
次に、ディジタル信号処理装置１２は、高速ＲＸＡＧＣとＲＳＳＩ測定とを開始し、ＲＦ装置１４に対して、例えば３０μｓ単位で１０回、受信信号へのゲイン制御を始め、同時に同じ単位でＲＳＳＩ測定を行う（図６ステップＳ３）。この時、１０回目に測定したＲＳＳＩを−６５ｄＢｍとする。
【００６４】
ディジタル信号処理装置１２は、ＲＳＳＩとＨＩＧＨＧＡＩＮ＿ＴＨ＋ＰＯＷＥＲ＿ＯＦＦＳＥＴ値とを比較する（図６ステップＳ４）。ここで、ＰＯＷＥＲ＿ＯＦＦＳＥＴの単位はｄＢであり、例えば、２ｄＢとする。
ＲＳＳＩ（−６５ｄＢｍ）
≧ＨＩＧＨＧＡＩＮ＿ＴＨ＋ＰＯＷＥＲ＿ＯＦＦＳＥＴ
（−７０ｄＢｍ＋２ｄＢ＝−６８ｄＢ）
となるため、ディジタル信号処理装置１２は、ＬＮＡ１４３を強制的にローゲインモードに切り替える（図６ステップＳ５）。
【００６５】
１０回目に測定したＲＳＳＩが、−７２ｄＢｍ、つまり、ＲＳＳＩ＜ＨＩＧＨＧＡＩＮ＿ＴＨ＋ＰＯＷＥＲ＿ＯＦＦＳＥＴとするならば、ステップＳ５の処理を経ない。
【００６６】
通常のＲＸＡＧＣに移行するため、ディジタル信号処理装置１２は、ＲＦ装置１３に対して、１スロット（６６７μｓ）単位で、受信信号へのゲイン制御、ＲＳＳＩ測定に切り替える（図６ステップＳ６）。
【００６７】
図７は本発明の第２の実施の形態による制御手順を示すフローチャートである。本発明の第２の実施の形態による携帯電話端末は、図１及び図２に示す本発明の第１の実施の形態による携帯電話端末と同様の構成となっている。
【００６８】
本発明の第２の実施の形態は、コンプレスモード（圧縮モード、Ｃｏｍｐｒｅｓｓｅｄ  Ｍｏｄｅ）時の周波数設定時に、高速ＲＸＡＧＣ後に、ＲＳＳＩが閾値以上の場合でも、強制的にＬＮＡローゲインモードに切り替えない点で上記の実施の形態と異なっている。
【００６９】
ここで、コンプレスモードとは、特定部分の伝送レートを高くすることで、データ伝送を行わない区間（以降ＧＡＰと記載）を設け、その区間で携帯端末が受信周波数切り替えてＲＳＳＩ測定等を行うことを言う。
【００７０】
このコンプレスモードは、異周波間ハンドオーバにおいて、現在の通話を保持しつつ、異なる周波数のキャリアにおいてセルサーチ等の一連の同期確立処理を行う際に実施される。その際に、同期確立に要する時間が長くなると、その分ＧＡＰを多く設ける必要があり、つまりコンプレスモード時間が長くなる。
【００７１】
コンプレスモード時には、通信品質が劣化する等の報告もあり、その影響を極力回避するために、同期確立に要する時間を短くする工夫が要求され、そのために周波数設定時に実施する高速ＲＸＡＧＣの時間（回数）低減が要求されている。そういう状況下で、強制的にＬＮＡローゲインモードに切り替えることは、通信品質劣化等の副作用が考えられるため、本実施の形態が必要となる。
【００７２】
以下、図１と図２と図７とを参照して本発明の第２の実施の形態による制御手順について説明する。尚、図７に示す制御手順は、ＣＰＵ装置１１がメモリ装置１５のプログラムを実行することでも実現可能である。
【００７３】
ＣＰＵ装置１１は、周波数設定をディジタル信号処理装置１２に命令する。ディジタル信号処理装置１２は、この命令によってＲＦ装置１４のＲＦＩＣ１４５に周波数設定する（図７ステップＳ１１）。
【００７４】
次に、ＣＰＵ装置１１は、メモリ装置１５から読み出したＬＮＡハイゲインモード切り替え閾値（ＨＩＧＨＧＡＩＮ＿ＴＨ）とＬＮＡローゲインモード切り替え閾値（ＬＯＷＧＡＩＮ＿ＴＨ）とをディジタル信号処理装置１２に設定する。ディジタル信号処理装置１２は、初期設定としてＲＦ装置１４のＬＮＡ１４３にローゲインモードを設定する（図７ステップＳ１２）。例えば、ＬＮＡハイゲインモード切り替え閾値（ＨＩＧＨＧＡＩＮ＿ＴＨ）＝−７０ｄＢｍ、ＬＮＡローゲインモード切り替え閾値（ＬＯＷＧＡＩＮ＿ＴＨ）＝−５０ｄＢｍとする。
【００７５】
ディジタル信号処理装置１２は、高速ＲＸＡＧＣとＲＳＳＩ測定とを開始し、ＲＦ装置１４に対して、例えば３０μｓ単位で１０回、受信信号へのゲイン制御を始め、同時に同じ単位でＲＳＳＩ測定を行う（図７ステップＳ１３）。
【００７６】
ＣＰＵ装置１１は、現在コンプレスモードかどうかを確認する（図７ステップＳ１４）。コンプレスモードで無いならば、この時、１０回目に測定したＲＳＳＩを−６５ｄＢｍとする。
【００７７】
ディジタル信号処理装置１２は、ＲＳＳＩとＨＩＧＨＧＡＩＮ＿ＴＨ＋ＰＯＷＥＲ＿ＯＦＦＳＥＴ値とを比較する（図７ステップＳ１５）。コンプレスモードであるならば、ステップＳ１５の処理及び以下のステップＳ１６の処理を経ない。
ＲＳＳＩ（−６５ｄＢｍ）
≧ＨＩＧＨＧＡＩＮ＿ＴＨ＋ＰＯＷＥＲ＿ＯＦＦＳＥＴ
（−７０ｄＢｍ＋２ｄＢ＝−６８ｄＢ）
となるため、ディジタル信号処理装置１２は、ＬＮＡ１４３を強制的にローゲインモードに切り替える（図７ステップＳ１６）。１０回目に測定したＲＳＳＩが−７２ｄＢｍ、つまり、ＲＳＳＩ＜ＨＩＧＨＧＡＩＮ＿ＴＨ＋ＰＯＷＥＲ＿ＯＦＦＳＥＴとするならば、ステップＳ１６の処理を経ない。
【００７８】
通常のＲＸＡＧＣに移行するため、ディジタル信号処理装置１２は、ＲＦ装置１４に対して、１スロット（６６７μｓ）単位で、受信信号へのゲイン制御、ＲＳＳＩ測定に切り替える（図７ステップＳ１７）。
【００７９】
図８は本発明の第３の実施の形態による制御手順を示すフローチャートである。本発明の第３の実施の形態による携帯電話端末は、図１及び図２に示す本発明の第１の実施の形態による携帯電話端末と同様の構成となっている。
【００８０】
本発明の第３の実施の形態は、音声及びデータ通信を行うためのデータＣＨ［ＤＰＤＣＨ（Ｄｅｄｉｃａｔｅｄ  Ｐｈｙｓｉｃａｌ  Ｄａｔａ  ＣＨａｎｎｅｌ）、ＤＰＣＣＨ（Ｄｅｄｉｃａｔｅｄ  Ｐｈｙｓｉｃａｌ  Ｃｏｎｔｒｏｌ  ＣＨａｎｎｅｌ）］を、ある通信レートが１２．２ｋｂｐｓといった低レート時で、ＲＳＳＩがＬＮＡハイゲインモード切り替え閾値以上の場合に、強制的にＬＮＡローゲインモードに切り替えする点で上記の実施の形態と異なる。
【００８１】
また、本発明の第３の実施の形態は、通信中の通常ＲＸＡＧＣ（１スロット単位）のスロット境界で切り替える点でも上記の実施の形態と異なる。強制的にＬＮＡローゲインモードに切り替えることを低レート時に限定するのは、図９に示すように、通信中に頻繁かつ定期的にＬＮＡをハイゲインモード、ローゲインモードと切り替えると、ＬＮＡがゲイン収束までの過渡的に特定の場所でデータが欠落するため、３８４ｋｂｐｓやＨＳＤＰＡ（Ｈｉｇｈ  Ｓｐｅｅｄ  Ｄｏｗｎｌｉｎｋ  Ｐａｃｋｅｔ  Ａｃｃｅｓｓ）の高レート時には、欠落データをディジタル信号処理で修復しきれずに、通信品質を低下させてしまうためである。
【００８２】
そのため、１２．２ｋｂｐｓといった低レート、つまり拡散率が高く、少々データが欠落しても修復能力が高いレートでのみ、本実施の形態を適用することが必要となる。
【００８３】
以下、図１と図２と図８とを参照して本発明の第３の実施の形態による制御手順について説明する。尚、図８に示す制御手順は、ＣＰＵ装置１１がメモリ装置１５のプログラムを実行することでも実現可能である。
【００８４】
ＣＰＵ装置１１は、音声及びデータ通信を行うためにデータＣＨをある通信レート、例えば、１２．２ｋｂｐｓでオープンするよう、ディジタル信号処理装置１２に命令する（図８ステップＳ２１）。
【００８５】
ディジタル信号処理装置１２は、データＣＨを使った通信を開始し、ＲＦ装置１４に対して、１スロット（６６７μｓ）単位で、受信信号へのゲイン制御や、送信信号へのパワー制御を始め、同時に１スロット間、ＲＳＳＩ測定を行う（図８ステップＳ２２）。
【００８６】
ディジタル信号処理装置１２は、現在の通信レート（ＣＵＲＲＥＮＴ＿ＲＡＴＥ）と強制的にＬＮＡローゲインモード可能な限界通信レート（ＬＩＭＩＴ＿ＲＡＴＥ）とを比較する（図８ステップＳ２３）。この強制的にＬＮＡローゲインモード可能な限界通信レート（ＬＩＭＩＴ＿ＲＡＴＥ）は、メモリ装置１５から読み出したものである。
【００８７】
例えば、今回３０ｋｂｐｓとすると、現在の通信レート１２．２ｋｂｐｓ以上の場合、つまり、限界通信レート（ＬＩＭＩＴ＿ＲＡＴＥ）（３０ｋｂｐｓ）≧現在の通信レート（ＣＵＲＲＥＮＴ＿ＲＡＴＥ）（１２．２ｋｂｐｓ）の場合、ディジタル信号処理装置１２は、ＲＳＳＩとＨＩＧＨＧＡＩＮ＿ＴＨ＋ＰＯＷＥＲ＿ＯＦＦＳＥＴ値とを比較する（図８ステップＳ２４）。
【００８８】
ＲＳＳＩ≧ＨＩＧＨＧＡＩＮ＿ＴＨ＋ＰＯＷＥＲ＿ＯＦＦＳＥＴとなる場合、ディジタル信号処理装置１２は、ＬＮＡ１４３を強制的にローゲインモードに切り替え、ステップＳ２２の処理に戻る（図８ステップＳ２５）。
【００８９】
ステップＳ２３の処理において、強制的にＬＮＡローゲインモード可能な限界通信レート（ＬＩＭＩＴ＿ＲＡＴＥ）が現在の通信レート（ＣＵＲＲＥＮＴ＿ＲＡＴＥ）より小さい場合、つまり、限界通信レート（ＬＩＭＩＴ＿ＲＡＴＥ）＜現在の通信レート（ＣＵＲＲＥＮＴ＿ＲＡＴＥ）の場合、ステップＳ２４の処理を経ずにステップＳ２２の処理に戻る。
【００９０】
ステップＳ２４の処理において、ＲＳＳＩ＜ＨＩＧＨＧＡＩＮ＿ＴＨ＋ＰＯＷＥＲ＿ＯＦＦＳＥＴとなる場合、ステップＳ２５の処理を経ずにステップＳ２２の処理に戻る。以降、データＣＨクローズ命令があるまで、上記と同じ制御を行う。
【００９１】
図１０は本発明の第４の実施の形態による制御手順を示すフローチャートである。本発明の第４の実施の形態による携帯電話端末は、図１及び図２に示す本発明の第１の実施の形態による携帯電話端末と同様の構成となっている。
【００９２】
本発明の第４の実施の形態は、ＳＩＲが良好で、ＲＳＳＩがＬＮＡハイゲインモード切り替え閾値以上の場合に、強制的にＬＮＡローゲインモードに切り替えする点で上記の実施の形態と異なっている。
【００９３】
強制的にＬＮＡローゲインモードに切り替えをＳＩＲが良好時に限定するのは、図９に示すように、通信中に頻繁かつ定期的にＬＮＡをハイゲインモード、ローゲインモードと切り替えると、ＬＮＡがゲイン収束までの過渡的に特定の場所でデータが欠落するため、フェーディング環境下等のＳＩＲが劣化した状況で、欠落データをディジタル信号処理で修復しきれずに、通信品質を低下させてしまう可能性があるためである。そのため、最低限必要となるＳＩＲをＳＩＲ＿ＳＴＡＮＤＡＲＤとして、それ以上の場合のみ、本実施の形態を適用するようにする。
【００９４】
まず、ＳＩＲの求め方を示す。ＷＣＤＭＡの場合、受信信号は復調後、Ｉ信号とＱ信号とに分かれており、Ｉ信号とＱ信号とは直交しているため、複素平面上で表すとシンボル点ができるが、理想的には、１点にシンボル点が集まるのが望ましいが、実際には干渉波の影響でその点は広がりを持つ。この様子を図１１に示す。
【００９５】
理想的なシンボル点までの強さをＲＳＣＰ（Ｒｅｃｅｉｖｅｄ  Ｓｉｇｎａｌ  Ｃｏｄｅ  Ｐｏｗｅｒ：希望波平均信号電力）といい、これは逆拡散後の信号の電力である。広がりの強さ（シンボル点の分散）をＩＳＣＰ［Ｉｎｔｅｒｆｅｒｅｎｃｅ  Ｓｉｇｎａｌ  Ｃｏｄｅ  Ｐｏｗｅｒ：干渉波（妨害波とも言う）信号平均電力］といい、逆拡散前のシンボル点と逆拡散後のシンボル点との差とも言える。
【００９６】
そして、ＳＩＲとは、ＲＳＣＰとＩＳＣＰとの比で導出される。すなわち、
ＳＩＲ＝ＲＳＣＰ÷ＩＳＣＰ
となり、干渉波が大きい程、値が小さくなる。
【００９７】
また、ＲＳＳＩとＲＳＣＰとにより、ビット辺りの希望信号エネルギとノイズとの比であるＥｃ÷Ｎｏ（＝ＲＳＣＰ÷ＲＳＳＩ）をＳＩＲの代わりに使うこともある。この処理は、全てディジタル信号処理装置１２で行われる。
【００９８】
以下、図１と図２と図１０とを参照して本発明の第４の実施の形態による制御手順について説明する。尚、図１０に示す制御手順は、ＣＰＵ装置１１がメモリ装置１５のプログラムを実行することでも実現可能である。
【００９９】
ＣＰＵ装置１１は、音声及びデータ通信を行うためにデータＣＨをある通信レート、例えば、１２．２ｋｂｐｓでオープンするよう、ディジタル信号処理装置１２に命令する（図１０ステップＳ３１）。
【０１００】
ディジタル信号処理装置１２は、データＣＨを使った通信を開始し、ＲＦ装置１４に対して、１スロット（６６７μｓ）単位で、受信信号へのゲイン制御や、送信信号へのパワー制御を始め、同時に１スロット間、ＲＳＳＩ測定、ＳＩＲ測定を行う（図１０ステップＳ３２）。
【０１０１】
ディジタル信号処理装置１２は、現在の通信レートと強制的にＬＮＡローゲインモード可能な限界通信レートとを比較する（図８ステップＳ３３）。
【０１０２】
ＬＩＭＩＴ＿ＲＡＴＥ≧ＣＵＲＲＥＮＴ＿ＲＡＴＥの場合、ディジタル信号処理装置１２は、測定ＳＩＲが、基準となるＳＩＲ＿ＳＴＡＮＤＡＲＤ以上かどうかを比較する（図１０ステップＳ３４）。
【０１０３】
測定ＳＩＲが、基準となるＳＩＲ＿ＳＴＡＮＤＡＲＤ以上の場合、ディジタル信号処理装置１２は、ＲＳＳＩとＨＩＧＨＧＡＩＮ＿ＴＨ＋ＰＯＷＥＲ＿ＯＦＦＳＥＴ値とを比較する（図１０ステップＳ３５）。
【０１０４】
ＲＳＳＩ≧ＨＩＧＨＧＡＩＮ＿ＴＨ＋ＰＯＷＥＲ＿ＯＦＦＳＥＴとなる場合、ディジタル信号処理装置１２は、ＬＮＡ１４３を強制的にローゲインモードに切り替え、ステップＳ３２の処理に戻る（図１０ステップＳ３６）。ステップＳ３３の処理において、ＬＩＭＩＴ＿ＲＡＴＥ＜ＣＵＲＲＥＮＴ＿ＲＡＴＥの場合、ステップＳ３４の処理を経ずにステップＳ３２の処理に戻る。
【０１０５】
ステップＳ３４の処理において、測定ＳＩＲが、基準となるＳＩＲ＿ＳＴＡＮＤＡＲＤ未満の場合、ステップＳ３５の処理を経ずにステップＳ３２の処理に戻る。
【０１０６】
ステップＳ３５の処理において、ＲＳＳＩ＜ＨＩＧＨＧＡＩＮ＿ＴＨ＋ＰＯＷＥＲ＿ＯＦＦＳＥＴとなる場合、ステップＳ３６の処理を経ずにステップＳ３２の処理に戻る。以降、データＣＨクローズ命令があるまで、上記と同じ制御を行う。
【０１０７】
このように、本発明では、周波数設定時に実施する高速ＲＸＡＧＣ完了時に、ＲＳＳＩが、ＬＮＡハイゲインモード切り替えが発生する受信レベルより大きい場合、ＬＮＡゲインを強制的にローゲインモードに切り替えることで、受信特性を維持しつつ、消費電力を低減することができる。
【０１０８】
また、本発明では、周波数設定時に実施する高速ＲＸＡＧＣ完了時のＲＳＳＩが、ＬＮＡハイゲインモード切り替えが発生する受信レベルより大きい場合でも、コンプレスモード時にＬＮＡゲインを強制的にローゲインモードへの切り替えを行わないため、異周波の受信特性劣化を防ぐことができる。
【０１０９】
さらに、本発明では、通信状態でも、低レートであるならば、ＲＳＳＩが、ＬＮＡハイゲインモード切り替えが発生する受信レベルより大きい場合に、スロット境界において、ＬＮＡゲインを強制的にローゲインモードに切り替えることで、受信特性を維持しつつ、消費電力を低減することができる。
【０１１０】
さらにまた、本発明では、ＳＩＲ値が良好な環境で、ＲＳＳＩが、ＬＮＡハイゲインモード切り替えが発生する受信レベルより大きい場合に、通信状態でも、スロット境界において、ＬＮＡゲインを強制的にローゲインモードに切り替えることで、受信特性を維持しつつ、消費電力を低減することができる。
【符号の説明】
【０１１１】
１１  ＣＰＵ装置
１２  ディジタル信号処理装置
１３  アナログ信号処理装置
１４  ＲＦ装置
１５  メモリ装置
１６  電源装置
１７  バッテリ
１８  アンテナ
１４１  アンテナスイッチ
１４２  デュプレクサ
１４３  ＬＮＡ
１４４，１４６  ＢＰＦ
１４５  ＲＦＩＣ
１４７  ＰＡ
１４８  アイソレータ
【図１】
0005381802.tif 000002
【図２】
0005381802.tif 000003
【図３】
0005381802.tif 000004
【図４】
0005381802.tif 000005
【図５】
0005381802.tif 000006
【図６】
0005381802.tif 000007
【図７】
0005381802.tif 000008
【図８】
0005381802.tif 000009
【図９】
0005381802.tif 000010
【図１０】
0005381802.tif 000011
【図１１】
0005381802.tif 000012
【図１２】
0005381802.tif 000013
【図１３】
0005381802.tif 000014